(57)【要約】【課題】ズボンのプレスができるとともに、ジャケットその他衣類の脱臭を行うことができ、移動が容易な縦型ズボンプレッサーを提供する。【解決手段】本縦型ズボンプレッサーは、ズボンプレッサー部とこのズボンプレッサー部の背面に脱臭装置部を備え、ズボンプレッサー部に設ける脚部は、固定板に垂直に取付けられた一対の脚支柱と、この脚支柱に直交して水平状態に取付けられた一対の脚部材と、一対の脚部材の前端側に取付けられ、ストッパー機構を備えた一対のキャスターと、前記一対の脚部材ｂの後端側に取付けられた一対のキャスターを備え、衣類保持部材は前記脚部の後端部より内側あるいは外側に設けられる。【選択図】  図６
2010125142.tif 000002
【特許請求の範囲】
【請求項１】
一側面をプレス面とした第１のプレス板と、この第１のプレス板のプレス面に対向するプレス面を有し、第１のプレス板に開閉自在に設けられた第２のプレス板と、前記第１のプレス板と前記第２のプレス板の少なくともいずれか一方に設けられたヒータと、前記第１のプレス板を立ち状態にする脚部とを備えるズボンプレッサー部を有する縦型ズボンプレッサーにおいて、
前記ズボンプレッサー部の背面に脱臭装置部が設けられ、
この脱臭装置部は、
前記ズボンプレッサー部の背面に設けられた吸気口および排気口と、
前記吸気口と前記排気口を連通する通風路と、
この通風路内に設けられた脱臭手段と、
前記通風路内に設けられ、前記吸気口から吸気し前記排気口から排気して、前記脱臭手段に空気を流す送風機と、
保持された衣類が、前記排気口および前記吸気口に近接するように、取付部材により前記ズボンプレッサー部の背面に配置される衣類保持部材とを備え、
前記脚部はキャスターを備えるとともに、
前記衣類保持部材は前記脚部の後端部より内側に設けられることを特徴とする縦型ズボンプレッサー。
【請求項２】
一側面をプレス面とした第１のプレス板と、この第１のプレス板のプレス面に対向するプレス面を有し、第１のプレス板に開閉自在に設けられた第２のプレス板と、前記第１のプレス板と前記第２のプレス板の少なくともいずれか一方に設けられたヒータと、前記第１のプレス板を立ち状態にする脚部とを備えるズボンプレッサー部を有する縦型ズボンプレッサーにおいて、
前記ズボンプレッサー部の背面に脱臭装置部が設けられ、
この脱臭装置部は、
前記ズボンプレッサー部の背面に設けられた吸気口および排気口と、
前記吸気口と前記排気口を連通する通風路と、
この通風路内に設けられた脱臭手段と、
前記通風路内に設けられ、前記吸気口から吸気し前記排気口から排気して、前記脱臭手段に空気を流す送風機と、
保持された衣類が、前記排気口および前記吸気口に近接するように、取付部材により前記ズボンプレッサー部の背面に配置される衣類保持部材とを備え、
前記脚部はキャスターを備えるとともに、
前記衣類保持部材は前記脚部の後端部より外側に設けられることを特徴とする縦型ズボンプレッサー。
【請求項３】
前記脚部は固定板に垂直に取付けられた一対の脚支柱と、
この脚支柱に直交して水平状態に取付けられた一対の脚部材と、
この一対の脚部材の前端側に取付けられ、ストッパー機構を備えた一対のキャスターと、
前記一対の脚部材の後端側に取付けられた一対のキャスターを備えることを特徴とする請求項１または２記載の縦型ズボンプレッサー。
【発明の詳細な説明】
【技術分野】
【０００１】
本発明は縦型ズボンプレッサーに係り、特に衣類に付いた臭いを脱臭する脱臭装置部を備えた縦型ズボンプレッサーに関する。
【背景技術】
【０００２】
従来、ズボンの皺伸ばしや折目付けを行なうためにズボンプレッサーが用いられる。
【０００３】
このようなズボンプレッサーは一般に、一側面をプレス面とした固定板と、この固定板のプレス面に対向するプレス面を有し固定板に開閉自在に設けられた可動板とを備え、これら固定板と可動板との少なくともいずれか一方にヒータを設けた構成とされ、必要に応じて、固定板と可動板との間に、衣類の重合部の隔離または位置決め等を行なうため１枚または複数枚の薄いプレスシートを介装することも行われている。
【０００４】
ところで、ズボン、ジャケット（背広）等に付着した汗、タバコの臭いは、ズボンのプレス時に周囲に発散したり、あるいはズボンから完全に抜け切れず、翌日も臭いが付いたまま着用することになり快適とは云えず、また、ジャケット等ズボン以外の衣類の脱臭ができない。
【０００５】
そこで、半永久的に使用可能で交換や洗浄を必要としない脱臭シートを備え、さらに、静電対策が講じられたズボンプレッサーが提案されている（例えば、特許文献１参照）。
【０００６】
しかしながら、特許文献１に記載のズボンプレッサーは、ズボンの脱臭には適するが、ジャケットなどズボン以外の衣類の脱臭には用いることができない。
【０００７】
また、ズボンプレッサーの背面に単にハンガーを設けるものが、既に提案されているが（例えば、特許文献２参照）、この特許文献２に記載のズボンプレッサーは、衣類に付いた臭いを脱臭する脱臭装置を備えていない。
【０００８】
また、特許文献２にあっては、ハンガー、小物入れなどを設けられているが、脚部がスタンド台によって形成されているため、ズボンプレッサーの移動が困難であった。
【特許文献１】特開２００５−１９２９１４号公報
【特許文献２】実開平６−７７６５３号公報
【発明の開示】
【発明が解決しようとする課題】
【０００９】
本発明は上述した事情を考慮してなされたもので、ズボンのプレスができるとともに、ジャケットその他衣類の脱臭を行うことができかつ、移動が容易な縦型ズボンプレッサーを提供することを目的とする。
【課題を解決するための手段】
【００１０】
上述した目的を達成するため、本発明に係る縦型ズボンプレッサーは、一側面をプレス面とした第１のプレス板と、この第１のプレス板のプレス面に対向するプレス面を有し、第１のプレス板に開閉自在に設けられた第２のプレス板と、前記第１のプレス板と前記第２のプレス板の少なくともいずれか一方に設けられたヒータと、前記第１のプレス板を立ち状態にする脚部とを備えるズボンプレッサー部を有する縦型ズボンプレッサーにおいて、前記ズボンプレッサー部の背面に脱臭装置部が設けられ、この脱臭装置部は、前記ズボンプレッサー部の背面に設けられた吸気口および排気口と、前記吸気口と前記排気口を連通する通風路と、この通風路内に設けられた脱臭手段と、前記通風路内に設けられ、前記吸気口から吸気し前記排気口から排気して、前記脱臭手段に空気を流す送風機と、保持された衣類が、前記排気口および前記吸気口に近接するように、取付部材により前記ズボンプレッサー部の背面に配置される衣類保持部材とを備え、前記脚部はキャスターを備えるとともに、前記衣類保持部材は前記脚部の後端部より内側に設けられることを特徴とする。
【００１１】
また、本発明に係る縦型ズボンプレッサーは、一側面をプレス面とした第１のプレス板と、この第１のプレス板のプレス面に対向するプレス面を有し、第１のプレス板に開閉自在に設けられた第２のプレス板と、前記第１のプレス板と前記第２のプレス板の少なくともいずれか一方に設けられたヒータと、前記第１のプレス板を立ち状態にする脚部とを備えるズボンプレッサー部を有する縦型ズボンプレッサーにおいて、前記ズボンプレッサー部の背面に脱臭装置部が設けられ、この脱臭装置部は、前記ズボンプレッサー部の背面に設けられた吸気口および排気口と、前記吸気口と前記排気口を連通する通風路と、この通風路内に設けられた脱臭手段と、前記通風路内に設けられ、前記吸気口から吸気し前記排気口から排気して、前記脱臭手段に空気を流す送風機と、保持された衣類が、前記排気口および前記吸気口に近接するように、取付部材により前記ズボンプレッサー部の背面に配置される衣類保持部材とを備え、前記脚部はキャスターを備えるとともに、前記衣類保持部材は前記脚部の後端部より外側に設けられることを特徴とする。
【発明の効果】
【００１２】
本発明に係る縦型ズボンプレッサーによれば、ズボンのプレスができるとともに、ジャケットその他衣類の脱臭を行うことができかつ、移動が容易な縦型ズボンプレッサーを提供することができる。
【発明を実施するための最良の形態】
【００１３】
本発明の第１実施形態に係る縦型ズボンプレッサーについて図面を参照して説明する。
【００１４】
図１は本発明の第１実施形態に係る縦型ズボンプレッサーの正面側から見た斜視図であり、図２は本縦型ズボンプレッサーの背面側から見た斜視図であり、図３は本縦型ズボンプレッサーの上部の縦断面図である。
【００１５】
図１〜図３に示すように、第１実施形態に係る縦型ズボンプレッサー１は、ズボンをプレスするズボンプレッサー部２と、ジャケットなどの衣類の脱臭を行う脱臭装置部３を備える。
【００１６】
ズボンプレッサー部２は、縦型で全体として矩形をなし、第１のプレス板としての台板を構成する固定板４と、この固定板４にヒンジ継手５により開閉自在にヒンジ結合された第２のプレス板としての可動板６とを有し、立てた状態で使用するための脚部７が、固定板４の下端に設けられる。
【００１７】
また、固定板４と可動板６との間には可撓性を有する１枚のプレスシート８が介装される。
【００１８】
さらに、固定板４と可動板６の少なくともいずれか一方、例えば固定板４には、そのほぼ全面に設けられた蛇行状のヒータ収容凹部４ａに加熱源として線状のヒータ９が収容される。また、固定板４にはヒータ９を覆うように均熱板１０が設けられ、さらに、均熱板１０を覆うように抑え布１１が全面に渡り設けられる。
【００１９】
一方、可動板６には全面に渡りクッション体１２が設けられ、さらに、クッション体１２を覆うように抑え布１３が設けられる。
【００２０】
また、固定板４には、クランプ用のレバー１４が設けられ、このレバー１４は可動板６に設けられた係合部材６ａに係脱し、可動板６の固定板４への圧接と、固定板４からの開放を可能にする。
【００２１】
図４および図５に示すように、脚部７は固定板４に垂直に取付けられた一対の脚支柱７ａ、７ａと、この脚支柱７ａ、７ａに直交して水平状態に取付けられた一対の脚部材７ｂ、７ｂと、一対の脚部材７ｂ、７ｂとの前端部（手前側）に取付けられ、ストッパー機構７ｃ、７ｃを備えた一対のキャスター７ｄ、７ｄと、一対の脚部材７ｂ、７ｂとの後端部（背面側）に取付けられ、ストッパー機構を備えない一対のキャスター７ｅ、７ｅが取付けられる。
【００２２】
さらに、図６ないし図９に示すように、ズボンプレッサー部２の上部背面側には、上記脱臭装置部３が設けられる。
【００２３】
脱臭装置部３は、装置筐体２１を備え、この装置筐体２１の上端近傍に吸気口２２、下部寄りに排気口２３が設けられ、さらに、吸気口２２、排気口２３を連通するほぼコ字状をなす通風路２４が設けられ、吸気口２２は排気口２３の上方に設けられる。
【００２４】
また、この通風路２４には、吸気口２２側（上流側）に脱臭手段２５が設けられ、脱臭手段２５の排気口２３側（下流側）に、脱臭手段２５に空気を流し、モータとファンからなる送風機２６が設けられる。
【００２５】
従って、送風機２６の回転によって、吸気口２２から通風路２４に吸込まれた空気は、脱臭手段２５で、除塵され、脱臭され、送風機２６を介して、排気口２３から排気される。
【００２６】
本発明における脱臭は、脱臭に限らず消臭を含む意味に用いる。
【００２７】
脱臭手段２５は脱臭フィルタ２５ａからなる。好ましくは、この脱臭フィルタ２５ａと脱臭フィルタ２５ａの風上側に設けられ除塵するプレフィルタ２５ｂが一体的に構成される。脱臭フィルタ２５ａは通気性を有するメッシュ体あるいは多孔質体に脱臭化学物質を担持したものを用いるのが好ましい。
【００２８】
送風機２６は、ケーシング２６ａに収容された小型で扁平な遠心ファン２６ｂと、ケーシング２６ａ外に設けられ回転軸を介して遠心ファン２６ｂを回転駆動するモータ２６ｃからなる。
【００２９】
通風路２４、脱臭手段２５、送風機２６は、いずれも装置筐体２１に立てた状態で収容し、装置筐体２１の薄形化を図っている。
【００３０】
また、装置筐体２１の上面をなすトレーカバー２１ａの一側には、ヒータ９の通電を制御するヒータ用ゼンマイタイマツマミ２８と、送風機２６の回転時間を制御する送風機用ゼンマイタイマツマミ２９が設けられる。
【００３１】
さらに、トレーカバー２１ａの他側には、小物類を収容する収納凹部２１ｂが設けられ、この収納凹部２１ｂには開閉自在に蓋体２１ｃが設けられ、さらに、収納凹部２１ｂの側部上端には、収納凹部２１ｂに収容される携帯電話に充電するための給電コードの挿通孔２１ｄが設けられる。また、収納凹部２１ｂの側部近傍には、充電に用いる電源コンセント３０が設けられる。
【００３２】
さらに、脱臭装置部３の背面上部には、衣類保持部材３１が設けられる。
【００３３】
図６および図１０に示すように、この衣類保持部材３１は、ジャケットなどを掛けるのに適する例えばハンガーからなる。
【００３４】
この衣類保持部材（ハンガー）３１には、下方に延びて設けられ、ズボンを掛けるのに適するズボン掛け３１ａと、衣類保持部材３１の上部に突出し、ジャケットなど衣類の襟が掛かり、衣類の胸元が開いた状態で吸気口２２および排気口２３に対向するように位置決めするほぼヘ字状の位置決め部材３１ｂであるハンガー上とが設けられる。
【００３５】
衣類保持部材３１は、脚部７の後端部７ｆより内側に設けられる。
【００３６】
衣類保持部材３１は、衣類が掛けられ、わずかに湾曲し、かつこの湾曲の凹面側がズボンプレッサー部２に対向するように装置筐体２１に取付けられる。
【００３７】
また、図７および図１１に示すように、衣類保持部材３１は、取付部材３２によって、装置筐体２１から、すなわち吸気口２２および排気口２３から離間した状態で、装置筐体２１に取付けられる。
【００３８】
衣類保持部材３１の取付けは、衣類保持部材３１に設けた取付凹部３１ｃに取付部材３２の一端３２ａを嵌合し、他端３２ｂを装置筐体２１に設けた取付凹部２１ｅに嵌合することで行われる。
【００３９】
衣類保持部材３１は、この衣類保持部材３１にジャケットなどが掛けられた場合、ジャケットと吸気口２２および排気口２３間に空間Ｇが空くような間隔で取付られる。
【００４０】
なお、衣類保持部材はズボンプレッサー部に予め一体に取付けて置いてもよいし、使用時に別体の衣類保持部材をズボンプレッサー部に一体的に取付けてもよい。
【００４１】
次に本第１実施形態の縦型ズボンプレッサーの使用方法について説明する。
【００４２】
ズボンのプレスを単独で行う場合は以下のようにして行う。
【００４３】
例えば、部屋の壁際に片付けられている図６に示すような縦型ズボンプレッサー１をズボンおよびジャケットをセットし易い場所に移動する。この移動は図４に示すキャスター７ｄ、７ｄ、７ｅ、７ｅを床上で回転させて行う。脱臭装置部３を取付けて重量が増した縦型ズボンプレッサー１でも、移動が容易になる。縦型ズボンプレッサー１を所望の位置に移動したら、ストッパー機構７ｃ、７ｃを働かせて一対のキャスター７ｄ、７ｄの動きを抑制する。キャスター７ｄ、７ｄの動きが抑制されることで、ズボンのセット作業が容易になる。
【００４４】
図１２は本縦型ズボンプレッサーのズボンプレッサー部の使用方法を示す説明図であり、脱臭装置部を省略して示す。
【００４５】
ズボンを単独でプレス作業する場合は以下のようにして行う。
【００４６】
図１２によりズボンプレッサー部へのズボンのセット方法について説明する。
【００４７】
レバー１４を上げて可動板６を開き、プレスシート８を固定板４側に寄せる（図１２（ａ））。
【００４８】
ズボンのすそ部を下方までおろし、ズボンのたるみを整え（図１２（ｂ））、ズボンの片方を持ち上げてから、プレスシート８をズボン側に寄せ（図１２（ｃ））、持ち上げたズボンをプレスシート８を挟むように降ろし、再度ズボンのたるみを整え（図１２（ｄ））、可動板６を閉じ、固定板４に設けられたレバー１４を可動板６に設けられた係合部材６ａに係合させ、可動板６によりプレス圧を加えた状態でズボンを固定板４と可動板６間に保持する。
【００４９】
しかる後、図８に示すヒータ用ゼンマイタイマツマミ２８を回して所望の時間ヒータ９に通電する。
【００５０】
ズボンは固定板４に収容されたヒータ９の加熱作用と、可動板６に収容されたクッション体１２の押圧によるプレス作用を受けて、加熱プレスされる。ズボンは、ヒータ９により１００℃以下、例えば７０℃〜９０℃に加熱され、クッション体１２等によりプレスされ、ヒータ９の加熱時間は図示しないタイマにより制限され、約１０分〜１５分程度で加熱プレス作業が終了する。
【００５１】
ズボンのプレス作業と同時にジャケットの脱臭作業を行う場合は以下のようにして行う。
【００５２】
例えば、上記と同様にして、ズボンを可動板６と固定板４間に保持した後、ジャケットを図１１および図１３に示すように、衣類保持部材３１にかける。
【００５３】
ジャケットは位置決め部材３１ｂに襟が掛かって位置決めされ、衣類の胸元が開いた状態で吸気口２２および排気口２３に対向し、吸気口２２および排気口２３とジャケットの内面背中側間には、空間Ｇが設けられる。
【００５４】
しかる後、図４および図５に示すストッパー機構７ｃ、７ｃを解除して一対のキャスター７ｄ、７ｄの動きを自由にし、動き易くなった縦型ズボンプレッサー１を壁際にゆっくりと移動させる。
【００５５】
このとき、図６に示すように、衣類保持部材３１は、脚部７の後端部７ｆより内側に設けられるので、後端部７ｆが壁に緩やかに当たり、衣類保持部材３１に掛けられた衣類が壁に当たらないので、衣類を傷付けたり、汚染されることがなく、また、壁が傷付くことがない。
【００５６】
図８に示すヒータ用ゼンマイタイマツマミ２８を回して所望の時間ヒータ９に通電し、さらに、送風機用ゼンマイタイマツマミ２９を回して所望の時間、送風機２６に通電する。
【００５７】
送風機２６に通電されると、送風機２６は回転し、図９および図１１に示すように、吸気口２２はジャケットに沿って上昇し、ジャケットに付着した埃や汗などの臭いを含んだ空気を吸込み、吸込まれた空気は、通風路２４を介して、脱臭手段２５に達し、プレフィルタ２５ｂで除塵され、脱臭フィルタ２５ａで脱臭されて、さらに、送風機２６を介して、排気口２３からジャケットに向かって排出される。
【００５８】
排気口２３から排出される空気は、吸込口２２から吸込まれ、通風路２４を通過する間にヒータ９により加熱された固定板４を介して加熱される。
【００５９】
衣類の胸元が開いた状態で吸気口２２および排気口２３に対向し、吸気口２２および排気口２３とジャケットの内面背中側間には、空間Ｇが設けられているので、加熱された排気は、ジャケットに沿って上昇し、ジャケットに含まれる埃や臭気を含んで再び吸込口２２に吸込まれる。
【００６０】
再び吸込口２２に吸込まれ、埃や臭気を含んだ空気は、プレフィルタ２５ｂで除塵され、脱臭フィルタ２５ａで脱臭され、送風機２６を介して、排気口２３からジャケットに向かって排出され、この循環を繰り返す。
【００６１】
上記脱臭過程において、吸込口２２からズボンプレッサー部２の背面に設けた通風路２４に吸込まれた空気は、別個のヒータを設けることなく、通風路２４を通過する間にヒータ９により加熱された固定板４を介して加熱され、脱臭効果が促進され、また、加熱された空気は、吸気口２２がズボンプレッサー部２の背面の上部に設けられ、さらに、吸気口２２が排気口２３の上方に設けられるので、排気口２３から排出された空気は、ジャケットに沿って、臭気を多く含むジャケットの上部、すなわち肩部まで確実に上昇し、肩部をはじめジャケットに含まれる臭気を確実に脱臭する。
【００６２】
また、衣類保持部材３１は、吸気口２２および排気口２３と、衣類との間に空間Ｇが空くように配置されるので、排気口２３から排出され加熱された排気は、ジャケットに沿って、肩部まで確実に上昇する。
【００６３】
さらに、脱臭手段２５は上流側に吸気中のごみを除去するプレフィルタ２５ａを設け、このプレフィルタ２５ａの下流側に脱臭フィルタ２５ａを一体的に設けるので、塵埃により脱臭フィルタ２５ａが目詰りすることなく、長寿命になり、保守点検も容易である。
【００６４】
また、衣類保持部材３１は、位置決め部材３１ｂを備え、衣類保持部材３１がわずかに湾曲し、かつこの湾曲の凹面側がズボンプレッサー部２に対向するので、ジャケットは位置決め部材３１ｂに襟が掛かって位置決めされ、ジャケットの胸元が開いた状態になり、加熱された排気をジャケットに沿って確実に上昇させることができる。
【００６５】
さらに、衣類保持部材３１は、脚部７の後端部７ｆより内側に設けられるので、ズボンプレッサー１Ａを壁の近辺において使用しても、衣類保持部材３１に掛けられた衣類が壁に当たらず、脱臭作業中、衣類を介して排気の熱的影響を壁に与えることがない。
【００６６】
また、衣類保持部材３１は、この衣類保持部材３１の下方に、ズボン掛け部３１ａを備えるので、ズボンプレッサー部２を用いない脱臭装置部３の単独使用によって、ズボンの脱臭を行うことができる。なお、この脱臭装置部を単独で使用時、脱臭効果を向上させるために、送風機用ゼンマイタイマに制御されるヒータを通風路に設けておいてもよい。
【００６７】
本第１実施形態の縦型ズボンプレッサーによれば、ズボンのプレスができるとともに、ジャケットその他衣類の脱臭を行うことができかつ、移動が容易な縦型ズボンプレッサーを提供することができる。
【００６８】
また、本発明の第２実施形態に係る縦型ズボンプレッサーについて説明する。
【００６９】
本第２実施形態は、第１実施形態が衣類保持部材を脚部の後端部より内側に設けるのに対して、これとは逆に衣類保持部材を脚部の後端部より外側に設ける。
【００７０】
例えば、図１４に示すように、第２実施形態に係る縦型ズボンプレッサー１Ａは、ズボンプレッサー部２Ａと、ジャケットなどの衣類の脱臭を行う脱臭装置部３を備える。
【００７１】
脱臭装置部３の衣類保持部材３１は、ズボンプレッサー部２Ａの脚部７の後端部７ｆより外側に設けられる。
【００７２】
これにより、ズボンプレッサー１Ａの移動が容易になるとともに、衣類保持部材３１が脚部７の後端部７ｆより外側に設けられるので、衣類が先に壁にあたる関係になり、ズボンプレッサー１Ａを移動する際に、壁の近辺に近づけても、後端部７ｆが壁に強く当たるのが防止され、壁の傷付きが防止される。
【００７３】
なお、他の構成は図６に示す縦型ズボンプレッサーと異ならないので、同一符号を付して説明は省略する。
【００７４】
本第２実施形態の縦型ズボンプレッサーによれば、ズボンのプレスができるとともに、ジャケットその他衣類の脱臭を行うことができかつ、移動が容易な縦型ズボンプレッサーを提供することができる。
【００７５】
なお、本発明に係る縦型ズボンプレッサーにおいて、第１の実施形態を採用するか第２の実施形態を採用するかは、使用者の要望を取り入れて決定するのが好ましい。
【図面の簡単な説明】
【００７６】
【図１】本発明の第１実施形態の縦型ズボンプレッサーの正面側から見た斜視図。
【図２】本発明の第１実施形態の縦型ズボンプレッサーの背面側から見た斜視図。
【図３】本発明の第１実施形態の縦型ズボンプレッサーの上部の縦断面図。
【図４】本発明の第１実施形態の縦型ズボンプレッサーの脚部を示す斜視図。
【図５】本発明の第１実施形態の縦型ズボンプレッサーに用いるキャスターの斜視図。
【図６】本発明の第１実施形態の縦型ズボンプレッサーの側面図。
【図７】本発明の第１実施形態の縦型ズボンプレッサーの一部を切欠いて示す上部背面の斜視図。
【図８】本発明の第１実施形態の縦型ズボンプレッサーに用いる脱臭装置部の内部を示す斜視図。
【図９】本発明の第１実施形態の縦型ズボンプレッサーに用いる脱臭装置部の吸気流を示す内部の斜視図。
【図１０】本発明の第１実施形態の縦型ズボンプレッサーに用いるハンガーの斜視図。
【図１１】本発明の第１実施形態の縦型ズボンプレッサーの吸気流を説明する上部の側面図。
【図１２】本発明の第１実施形態の縦型ズボンプレッサーのズボンプレッサー部の使用方法を示す説明図。
【図１３】本発明の第１実施形態の縦型ズボンプレッサーの脱臭装置部の使用方法を示す斜視図。
【図１４】本発明の第２実施形態の縦型ズボンプレッサーの側面図。
【符号の説明】
【００７７】
１  縦型ズボンプレッサー
２  ズボンプレッサー部
３  脱臭装置部
４  固定板
４ａ  ヒータ収容凹部
５  ヒンジ継手
６  可動板
６ａ  係合部材
７  脚部
７ａ  脚支柱
７ｂ  脚部材
７ｃ  ストッパー機構
７ｄ  キャスター
７ｅ  キャスター
７ｆ  後端部
８  プレスシート
９  ヒータ
１０  均熱板
１１  抑え布
１２  クッション体
１３  抑え布
１４  レバー
２１  装置筐体
２１ａ  トレーカバー
２１ｂ  収納凹部
２１ｃ  蓋体
２１ｄ  挿通孔
２１ｅ  取付凹部
２２  吸気口
２３  排気口
２４  通風路
２５  脱臭手段
２５ａ  脱臭フィルタ
２５ｂ  プレフィルタ
２６  送風機
２６ａ  ケーシング
２６ｂ  遠心ファン
２６ｃ  モータ
２８  ヒータ用ゼンマイタイマツマミ
２９  送風機用ゼンマイタイマツマミ
３０  電源コンセント
３１  衣類保持部材
３１ａ  ズボン掛け
３１ｂ  位置決め部材
３１ｃ  取付凹部
３２  取付部材
３２ａ  一端
３２ｂ  他端
Ｇ  空間
【図１】
2010125142.tif 000003
【図２】
2010125142.tif 000004
【図３】
2010125142.tif 000005
【図４】
2010125142.tif 000006
【図５】
2010125142.tif 000007
【図６】
2010125142.tif 000008
【図７】
2010125142.tif 000009
【図８】
2010125142.tif 000010
【図９】
2010125142.tif 000011
【図１０】
2010125142.tif 000012
【図１１】
2010125142.tif 000013
【図１２】
2010125142.tif 000014
【図１３】
2010125142.tif 000015
【図１４】
2010125142.tif 000016